(57)【要約】【課題】冷蔵庫の断熱性能を向上させることができる技術を提供する。【解決手段】  冷蔵庫は、本体と、扉と、ガスケットと、を備える。扉は、本体に設けられた貯蔵室の前面開口部を開閉する。ガスケットは、扉と前面開口部の周縁部との間をシールする。ガスケットは、扉に固定される第１固定部と、扉の第１固定部よりも本体外側に固定される第２固定部と、を有している。【選択図】図３
2020122637.tif 000002
【特許請求の範囲】
【請求項１】
本体と、
前記本体に設けられた貯蔵室の前面開口部を開閉する扉と、
前記扉と前記前面開口部の周縁部との間をシールするガスケットと、
を備えており、
前記ガスケットは、前記扉に固定される第１固定部と、前記扉の前記第１固定部よりも前記本体外側に固定される第２固定部と、を有している、冷蔵庫。
【請求項２】
前記扉は、前記扉から突出する突出部を有しており、
前記第１固定部が前記突出部よりも前記本体内側に位置しており、前記第２固定部が前記突出部よりも前記本体外側に位置している、請求項１に記載の冷蔵庫。
【請求項３】
前記突出部の先端は、前記第２固定部よりも前記本体外側に位置している、請求項２に記載の冷蔵庫。
【請求項４】
前記突出部の内部には、空間が設けられており、
前記空間に断熱材が充填されている、請求項２又は３に記載の冷蔵庫。
【請求項５】
前記扉は、前記本体を正面視したときに、前記扉の裏面に設けられており、前記裏面から突出する第１嵌合部と、前記扉の前記裏面であって前記第１嵌合部よりも前記本体外周側に設けられており、前記裏面から突出する第２嵌合部と、を有しており、
前記第１固定部が前記第１嵌合部に嵌合されるとともに、前記第２固定部が前記第２嵌合部に嵌合される、請求項１〜４のいずれか一項に記載の冷蔵庫。
【請求項６】
前記ガスケットは、複数のシール部分を有しており、
前記扉が前記貯蔵室の前記前面開口部を閉塞する閉塞状態において、前記複数のシール部分のそれぞれが、前記扉の前記裏面に当接する、請求項５に記載の冷蔵庫。
【請求項７】
前記扉は、前記扉の裏面から後方に向かって突出する突出部を有しており、
前記扉は、前記扉の側面から前記裏面の一部に亘る範囲を構成する外周部材と、前記扉の前記裏面の他部を構成する裏面部材と、を有しており、
前記突出部は、前記裏面部材に設けられており、
前記突出部は、前記本体を正面視したときに、前記突出部の内面から前記扉の内部に向かって伸びる第１リブと、第２リブと、第３リブと、を前記本体外周側からこの順に有しており、
前記第１リブは、前記外周部材の裏面に当接しており、
前記第２リブは、前記外周部材の前記裏面側の端部よりも前記本体内周側で前記端部から離間して配置されており、
前記第３リブは、前記外周部材の前記裏面よりも前方まで伸びている、請求項１〜６のいずれか一項に記載の冷蔵庫。
【請求項８】
前記第３リブの先端は、前記第２リブの先端よりも前方に位置しており、
前記第２リブと前記第３リブの間の空間には、所定の間隔を空けて複数のガイド部材が設けられている、請求項７に記載の冷蔵庫。
【請求項９】
前記第２リブは、前記扉の内部に充填される断熱材によって、前記本体外周側に押圧されている、請求項７又は８に記載の冷蔵庫。
【請求項１０】
前記扉の内部には、前記扉の裏面に接する位置に補強板が設けられている、請求項１〜９のいずれか一項に記載の冷蔵庫。
【請求項１１】
前記ガスケットの前記第１固定部の少なくとも一部及び前記第２固定部の少なくとも一部は、前記ガスケットの他の部分と比較して剛性が高い材料により構成されている、請求項１〜１０のいずれか一項に記載の冷蔵庫。
【請求項１２】
前記扉の前記裏面には、前記第１嵌合部よりも前記本体外周側に、前記シール部分を挿入する凹部が設けられており、
前記本体を正面視したときに、前記凹部に挿入される前記シール部分の付け根部が、前記凹部と略重複している、請求項６に記載の冷蔵庫。
【請求項１３】
前記扉は、前記扉の裏面から後方に向かって突出する突出部を有しており、
前記ガスケットは、前記本体を正面視したときに、前記突出部よりも前記本体外周側に位置する磁石をさらに備えており、
前記突出部の先端の位置が、前記磁石の前面の位置よりも後方に位置している、請求項１〜１２のいずれか一項に記載の冷蔵庫。
【発明の詳細な説明】
【技術分野】
【０００１】
本明細書に開示する技術は、冷蔵庫に関する。
【背景技術】
【０００２】
本体に設けられた貯蔵室の前面開口部の周縁部と、前面開口部を開閉する扉と、の間をシールするためのガスケットを備える冷蔵庫が知られている。従来、ガスケットは、扉に設けられた溝部に係合することによって固定されていた。扉が前面開口部を閉塞した状態では、当該ガスケットが前面開口部の周縁部と扉との間をシールすることにより、貯蔵室内部の冷気が外部空間に漏洩することが抑制される。
【０００３】
また、扉の内部空間に断熱材が設けられた冷蔵庫が知られている。これにより、貯蔵室内部への熱の流入が低減され、貯蔵室内部の温度が上昇することが抑制される。
【先行技術文献】
【特許文献】
【０００４】
【特許文献１】特開２０１３−００２６５５号公報
【発明の概要】
【発明が解決しようとする課題】
【０００５】
本明細書では、冷蔵庫の断熱性能を向上させることができる技術を提供する。
【課題を解決するための手段】
【０００６】
本明細書に開示する冷蔵庫は、本体と、扉と、ガスケットと、を備える。前記扉は、前記本体に設けられた貯蔵室の前面開口部を開閉する。前記ガスケットは、前記扉と前記前面開口部の周縁部との間をシールする。前記ガスケットは、前記扉に固定される第１固定部と、前記扉の前記第１固定部よりも前記本体外側に固定される第２固定部と、を有している。
【図面の簡単な説明】
【０００７】
【図１】実施例に係る冷蔵庫を模式的に示す正面図。
【図２】実施例に係る左右扉を開放した開放状態の冷蔵庫を模式的に示す斜視図。
【図３】実施例に係るガスケットを含む右扉の右端部周辺の横断面図（図１のＩＩＩ−ＩＩＩ線断面図）。
【図４】実施例に係る右扉のコーナー部を裏面から見たときの構成を模式的に示す図。
【図５】実施例に係る右扉の裏面部材の突出部の内部を模式的に示す斜視図。
【図６】実施例に係るガスケットの横断面図。
【図７】実施例に係るガスケットのコーナー部を正面から見たときの構成を模式的に示す図。
【発明を実施するための形態】
【０００８】
図面を参照して、実施例の冷蔵庫１０について説明する。図１及び図２に示すように、冷蔵庫１０は、断熱性を有する本体１２と、一対の扉（左扉３０ａ及び右扉３０ｂ）を備えている。また、冷蔵庫１０は、本体１２と右扉３０ｂの間に配置されている右ガスケット８０（図３参照、図１及び図２では図示省略）と、本体１２と左扉３０ａの間に配置されている左ガスケット（図示省略）とを備えている。以下では、冷蔵庫１０の左右方向において、本体１２の中央Ｃに近接する側を「本体内周側」といい、本体１２の中央Ｃから離間する側を「本体外周側」という。また、冷蔵庫１０の前後方向（奥行き方向）において、本体１２の正面側を「前方」といい、本体１２の裏面側を「後方」という。
【０００９】
（本体１２の構成）
図３に示すように、本体１２は、金属製の外箱１２ａと樹脂製の内箱１２ｂとを備えている。外箱１２ａは、その前面側において、本体内周側に略直角に折り曲げられるフランジ部３９を有している。また、フランジ部３９の先端部分からＳ字状に往復するように折り返された第１折り返し部３７及び第２折り返し部３８を有している。第２折り返し部３８は、第１折り返し部３７の先端部分から折り返され、斜め後方に向かって伸びている。内箱１２ｂは、その前面側において、本体外周側に略直角に折り曲げられるフランジ部３６を有している。外箱１２ａと内箱１２ｂとは、フランジ部３６が第１折り返し部３７及び第２折り返し部３８の間に差し込まれることによって結合されている。外箱１２ａと内箱１２ｂとの間には断熱材（例えば発泡断熱材）が充填されている。これによって、断熱性を有する本体１２が構成されている。
【００１０】
図１に示すように、本体１２には、その内部に、冷蔵室１４、野菜室１６、製氷室１８、上部冷凍室２０及び下部冷凍室２２が設けられている。冷蔵室１４及び野菜室１６は冷蔵温度帯の貯蔵室であり、製氷室１８、上部冷凍室２０及び下部冷凍室２２は冷凍温度帯の貯蔵室である。図２に示すように、冷蔵室１４の下部には、チルド室２４が設けられており、チルド室２４の側方には、製氷室１８の製氷装置に水を供給するためのタンク２８が着脱可能に設けられている。
【００１１】
冷蔵室１４の前面には、冷蔵室１４を開口する前面開口部１４ａが設けられている。冷蔵室１４には、前面開口部１４ａを介して貯蔵品が収容される。具体的には、図３に示すように、前面開口部１４ａは、本体１２の前面（フランジ部３６、３９の前面）の内側の領域である。同様に、野菜室１６、製氷室１８、上部冷凍室２０及び下部冷凍室２２にもそれぞれ前面開口部（不図示）が設けられている。
【００１２】
（左右扉３０ａ、３０ｂの構成）
左扉３０ａ及び右扉３０ｂは、いわゆる観音開き式の扉である。図２に示すように、冷蔵庫１０を正面視して左側の左扉３０ａの左端部は、冷蔵室１４の前方左端部に設けられたヒンジ部材３２によって前面開口部１４ａに対して回動可能に枢支されている。冷蔵庫１０を正面視して右側の右扉３０ｂの右端部は、冷蔵室１４の前方右端部に設けられたヒンジ部材３４によって前面開口部１４ａに対して回動可能に枢支されている。すなわち、左扉３０ａ及び右扉３０ｂが前面開口部１４ａに対して回動することによって、冷蔵室１４の前面開口部１４ａが開放される開放状態と、冷蔵室１４の前面開口部１４ａが閉塞される閉塞状態とに切り換えられる。
【００１３】
図３は、後述するガスケット８０を含む、右扉３０ｂの右端部周辺の横断面図（図１のＩＩＩ−ＩＩＩ線断面図）である。図３においては、左側が本体内周側であり、右側が本体外周側である。また、図３に示されている本体１２に対して右扉３０ｂ側（すなわち、図３の下側）が前方であり、右扉３０ｂに対して本体１２側（すなわち、図３の上側）が後方である。右扉３０ｂは、その前面を覆う矩形状の表面部材４０と、その側面を覆う外周部４４ａ及びその裏面の一部を覆う裏面部４４ｂを有する外周部材４４と、その裏面の他部を覆う裏面部材４８と、を備える。すなわち、外周部材４４は、右扉３０ｂの側面から裏面の一部に亘る範囲を構成し、裏面部材４８は、右扉３０ｂの裏面の他部を構成している。本体１２を正面視すると、外周部材４４の裏面部４４ｂは、前面開口部１４ａの周縁部１５に重複する。一例ではあるが、本実施例では、外周部材４４の裏面部４４ｂの内周端４４ｃがフランジ部３９の先端部分よりも本体内周側まで伸びている。図３に示すように、表面部材４０と外周部材４４とが結合され、外周部材４４と裏面部材４８とが結合されることによって、右扉３０ｂが構成されている。
【００１４】
裏面部材４８は、例えば合成樹脂によって構成されている。裏面部材４８には、突出部５０と、第１嵌合部５２と、第２嵌合部５４と、凹部５６が設けられている。
【００１５】
第１嵌合部５２は、裏面部材４８の本体１２の前後方向（すなわち、図３の上下方向）に伸びる部分Ｐ１から本体外周側に突出している。第１嵌合部５２には、後述するガスケット８０の第１固定部８２が嵌合する。図４は、右扉３０ｂのコーナー部分をその裏面から見たときの図である。図４に示すように、第１嵌合部５２は、右扉３０ｂの周方向に所定の間隔を空けて複数個設けられている。
【００１６】
図３に示すように、凹部５６は、第１嵌合部５２よりも本体外周側に設けられている。凹部５６は、右扉３０ｂの内部空間側（すなわち、前方）に凹となるように形成されている。凹部５６には、後述するガスケット８０の第１シール部分９４が挿入される。
【００１７】
突出部５０は、凹部５６よりも本体外周側に設けられている。突出部５０は、裏面部材４８から前面開口部１４ａ側（すなわち、後方）に向かって突出している。突出部５０の先端の位置は、後述するガスケット８０の磁石８６の前面の位置よりも後方に位置している。
【００１８】
第２嵌合部５４は、突出部５０よりも本体外周側に設けられている。すなわち、本体１２を正面視すると、第１嵌合部５２と第２嵌合部５４は、突出部５０を挟んで設けられている。第２嵌合部５４は、本体１２の前後方向において、突出部５０の中間位置から本体外周側に向かって伸びている。第２嵌合部５４は、外周部材４４の裏面部４４ｂから間隔を空けて配置されている。第２嵌合部５４には、後述するガスケット８０の第２固定部８４が嵌合する。
【００１９】
図３に示すように、突出部５０は、本体１２を正面視したときに、突出部５０の内面から右扉３０ｂの内部に向かって伸びる第１リブ６０、第２リブ６２及び第３リブ６４を有している。第１リブ６０、第２リブ６２及び第３リブ６４が、本体外周側（すなわち、図３の右側）からこの順に配置されている。第１リブ６０は、突出部５０の本体外周側の面を構成しており、外周部材４４の裏面部４４ｂに当接している。第１リブ６０と外周部材４４の裏面部４４ｂが結合されることにより、右扉３０ｂの内部空間と外部空間とが分離されている。第２リブ６２は、第１リブ６０よりも本体内周側に設けられている。第２リブ６２は、突出部５０の左右方向における中間位置に設けられている。第２リブ６２は、外周部材４４の裏面部４４ｂの内周端４４ｃよりも本体内周側に位置している。第２リブ６２は、当該内周端４４ｃからわずかに離間して配置されている。第３リブ６４は、第２リブ６２よりも本体内周側に設けられている。第３リブ６４は、突出部５０の本体内周側の面を構成している。第３リブ６４は、第２リブ６２よりも右扉３０ｂの内部側（すなわち、前方）まで伸びている。すなわち、第３リブ６４の先端は、第２リブ６２の先端よりも前方に位置している。第３リブ６４は、右扉３０ｂの裏面部４４ｂの位置よりも前方まで伸びている。
【００２０】
図３及び図５に示すように、第２リブ６２と第３リブ６４の間の空間には、ガスケット８０の周方向に所定の間隔を空けて複数のガイド部材６６が設けられている。
【００２１】
表面部材４０は、例えばガラス板によって構成されている。外周部材４４は、例えば合成樹脂によって構成されている。図３に示すように、表面部材４０と外周部材４４の上端と下端には、合成樹脂製のキャップ部材４２（図３では、上部のキャップ部材４２のみ図示）がそれぞれ取付けられている。すなわち、上部のキャップ部材４２は、表面部材４０の上端から外周部材４４の上端に跨る範囲を保持している。また、下部のキャップ部材４２は、表面部材４０の下端から外周部材４４の下端に跨る範囲を保持している。また、外周部材４４の内周端４４ｃの上下方向（すなわち、図３の紙面に垂直な方向）の辺部は、合成樹脂製のキャップ部材（不図示）によって保持されている。したがって、右扉３０ｂは、その前面に位置する表面部材４０と、その側面に位置する外周部材４４とが、上下に配置されたキャップ部材４２と、外周部材４４の内周端４４ｃに配置されたキャップ部材とによって保持されている。なお、キャップ部材４２は、表面部材４０の上端と下端には取付けられていなくてもよい。すなわち、キャップ部材４２は、外周部材４４のみを保持するように構成されてもよい。
【００２２】
外周部材４４は、外周部４４ａの前後方向における中間位置から右扉３０ｂの内部（すなわち、本体内周側）へ向かって伸びる中間部材４５を有している。外周部材４４の裏面部４４ｂと中間部材４５との間の空間には、Ｕ字形状の補強板７０が設けられている。すなわち、補強板７０は、外周部材４４の裏面部４４ｂに接する位置に配置されている。補強板７０は、例えば、鋼板等の金属板により構成されている。補強板７０は、冷蔵庫１０の運転時の冷却等による収縮に起因する外周部材４４の反りを抑制するために設けられている。
【００２３】
右扉３０ｂの内部空間には、真空断熱パネル７２（以下、ＶＩＰ７２という。）が設けられている。ＶＩＰ７２は、中間部材４５の先端よりも本体内周側であって、右扉３０ｂの裏面側に配置されている。図示されていないが、ＶＩＰ７２は、右扉３０ｂの本体内周側の端部まで伸びている。右扉３０ｂの内部空間のうち、ＶＩＰ７２が設けられている部分以外には、発泡断熱材７４が発泡充填されている。発泡断熱材７４は、突出部５０の内部空間（すなわち、第１リブ６０と第２リブ６２の間の空間及び第２リブ６２と第３リブ６４の間の空間）にも充填されている。発泡断熱材７４としては、例えば、発泡ポリウレタンを用いることができる。
【００２４】
野菜室１６、製氷室１８、上部冷凍室２０及び下部冷凍室２２には、それぞれ引き出し式の扉１６ａ、１８ａ、２０ａ、２２ａが設けられている。各扉３０ａ、３０ｂ、１６ａ、１８ａ、２０ａ、２２ａの正面部分は、ガラス板によって覆われている。
【００２５】
（ガスケット８０の構成）
冷蔵庫１０はまた、図３に示すように、本体１２と右扉３０ｂとの間に配置されているガスケット８０を備えている。図３では、右扉３０ｂに対するガスケット８０が示されているが、左扉３０ａに対しても同様のガスケット８０が配置されている。左扉３０ａに対するガスケット８０については図示を省略する。
【００２６】
ガスケット８０は、右扉３０ｂの裏面に取り付けられている。ガスケット８０は、右扉３０ｂの裏面と、冷蔵室１４の前面開口部１４ａの周縁部１５との間をシールする。ガスケット８０は、右扉３０ｂの裏面と周縁部１５との間を一巡するように設けられている。図６に示すように、ガスケット８０は、第１固定部８２と、第２固定部８４と、磁石８６と、磁石収容部８８と、第１連結部９０と、第２連結部９２と、第１シール部分９４と、第２シール部分９６と、第３シール部分９８と、を備えている。
【００２７】
第１固定部８２は、裏面部材４８の第１嵌合部５２に嵌合する。具体的には、図３に示すように、第１固定部８２は、裏面部材４８の部分Ｐ１から突出する第１嵌合部５２に係合する形態で第１嵌合部５２と嵌合する。したがって、ガスケット８０が右扉３０ｂに取付けられた状態（図３に示す状態）では、本体１２を正面視すると、第１固定部８２は、突出部５０よりも本体内周側に位置している。図７は、ガスケット８０のコーナー部をその正面から見たときの図である。図７に示すように、第１固定部８２は、冷蔵庫１０の扉３０ａ、３０ｂの角部に対応する箇所には設けられていない。すなわち、第１固定部８２は、扉３０ａ、３０ｂの角部に対応する箇所に間隔が設けられている。
【００２８】
第２固定部８４は、裏面部材４８の第２嵌合部５４に嵌合する。具体的には、図３に示すように、第２固定部８４は、外周部材４４の裏面部４４ｂと第２嵌合部５４との間に設けられた隙間に、本体外周側から挿入される形態で第２嵌合部５４と嵌合する。したがって、ガスケット８０が右扉３０ｂに取付けられた状態（図３に示す状態）では、本体１２を正面視すると、第２固定部８４は、突出部５０よりも本体外周側に位置している。また、第２固定部８４は、突出部５０の先端よりも前方に位置している。第１固定部８２及び第２固定部８４が、第１嵌合部５２及び第２嵌合部５４にそれぞれ嵌合することにより、ガスケット８０が右扉３０ｂに固定される。すなわち、ガスケット８０は、突出部５０よりも本体内周側の第１嵌合部５２と本体外周側の第２嵌合部５４との２箇所で右扉３０ｂに対して固定される。
【００２９】
磁石８６は、磁石収容部８８に収容されている。磁石８６は、右扉３０ｂの閉塞状態において、前面開口部１４ａの周縁部１５（外箱１２ａのフランジ部３９）に吸着する。磁石８６は、本体を正面視したときに、突出部５０よりも本体外周側に位置するように設けられている。ガスケット８０が右扉３０ｂに取付けられた状態（図３）では、磁石８６の前面の位置は、突出部５０の先端の位置よりも前方に位置している。
【００３０】
図６に示すように、第１連結部９０は、磁石収容部８８と、第１固定部８２とを接続する。第１連結部９０は、磁石収容部８８の本体内周側の面の後方側から伸びている。第１連結部９０と第１固定部８２との連結部分Ｌは、略直角に屈曲している。図３に示すように、ガスケット８０が右扉３０ｂに固定された状態では、第１連結部９０は、磁石収容部８８から突出部５０を超えた位置で第１固定部８２に接続されている。第１固定部８２は、第１連結部９０の一端から前方に伸びた後、後方に折り返されて第１嵌合部５２に嵌合する。
【００３１】
図６に示すように、第２連結部９２は、磁石収容部８８と第２固定部８４とを接続する。第２連結部９２は、磁石収容部８８の本体内周側の面の前方側から伸びている。第２連結部９２と第２固定部８４との接続部分は、略直角に屈曲している。第２連結部９２は、第１湾曲部９２ａと、第２湾曲部９２ｂを有している。図３に示すように、ガスケット８０が右扉３０ｂに固定された状態では、第２連結部９２は、磁石収容部８８から突出部５０よりも本体外周側において、前方に湾曲する第１湾曲部９２ａを介して本体外周側に向かって伸びた後、第２嵌合部５４よりも本体外周側において前方に湾曲する第２湾曲部９２ｂを介して第２固定部８４に接続される。
【００３２】
本実施例では、ガスケット８０の第１固定部８２及び第２固定部８４は、ガスケット８０の他の部分（例えば、第１連結部９０、第２連結部９２等（但し、磁石８６は除く））と比較して、剛性が高い材料により構成されている。ガスケット８０は、例えば、ポリ塩化ビニル等の合成樹脂材料により構成することができる。ここで、第１固定部８２及び第２固定部８４以外の部分の成型時には、当該合成樹脂材料に、例えば可塑剤を添加することにより、第１固定部８２及び第２固定部８４の剛性を他の部分よりも高くすることができる。なお、第１固定部８２及び第２固定部８４の全体が、ガスケット８０の他の部分よりも高い剛性を有していなくてもよい。すなわち、第１固定部８２及び第２固定部８４の一部のみが、他の部分よりも高い剛性を有していてもよい。また、磁石８６を除くガスケット８０の全体が、略同じ剛性を有していてもよい。
【００３３】
図６に示すように、第１シール部分９４、第２シール部分９６及び第３シール部分９８は、第１連結部９０からそれぞれ伸びている。第１シール部分９４は、第１連結部９０と第１固定部８２との連結部分Ｌから前方に伸びている。すなわち、第１シール部分９４と第１固定部８２は、共に連結部分Ｌから前方に向かって伸び、途中で分岐している。したがって、第１シール部分９４は、第１固定部８２の折り返し部分から前方に伸びていると言うこともできる。第２シール部分９６は、第１連結部９０の連結部分Ｌから本体内周側にヒレ状に伸びている。第３シール部分９８は、第１連結部９０のうち、磁石収容部８８と連結部分Ｌの間の範囲から前方にヒレ状に伸びている。
【００３４】
図３に示すように、ガスケット８０が右扉３０ｂに固定された状態では、第１シール部分９４は、凹部５６内に挿入される。このとき、図３に示すように、本体１２を正面視すると、第１シール部分９４の付け根部（すなわち、連結部分Ｌ）が、凹部５６と略重複する位置に設けられている。また、右扉３０ｂが開放状態から閉塞状態（図３に示す状態）へ切り換わるとき、ガスケット８０の第１連結部９０及び磁石収容部８８の後面が周縁部１５に押圧されてガスケット８０が変形する。このとき、第２シール部分９６は、第１嵌合部５２よりも後方で裏面部材４８に当接し、第３シール部分９８は、裏面部材４８の突出部５０の先端に当接する。また、第２連結部９２は、第２嵌合部５４の後面に当接する。
【００３５】
（効果）
本実施例の冷蔵庫１０では、ガスケット８０が、右扉３０ｂの裏面部材４８に対して第１固定部８２及び第２固定部８４の２箇所で固定されている。このため、ガスケット８０の位置が安定し、右扉３０ｂの開閉によるガスケット８０の変位を抑制することができる。このように、本実施例の冷蔵庫１０では、ガスケット８０を２箇所で固定することによりガスケット８０の位置が安定するため、従来のように、右扉３０ｂの裏面にガスケットを係合させるための溝部を設ける必要がなく、右扉３０ｂの内部空間を広く確保することができる。したがって、従来と比較して、右扉３０ｂの内部空間に多くの断熱材（すなわち、発泡断熱材７４）を充填することができる。このため、冷蔵庫１０の断熱性能を向上させることができる。
【００３６】
また、本実施例では、右扉３０ｂが、裏面部材４８から後方に向かって突出する突出部５０を有している。そして、本体を正面視したときに、第１固定部８２が突出部５０よりも本体内周側に位置するとともに、第２固定部８４が突出部５０よりも本体外周側に位置している。このように、２つの固定部８２、８４の間の空間に突出部５０が設けられていることにより、右扉３０ｂと周縁部１５との間の距離Ｄ１（図３参照）が低減される。さらに、突出部５０の内部には、発泡断熱材７４が充填されているため、右扉３０ｂと周縁部１５との間の空気層の厚みが低減される。このため、冷蔵庫１０の外部空間Ｓ２から内部空間Ｓ１への熱の流入を抑制することができる。
【００３７】
また、本実施例では、右扉３０ｂが、裏面部材４８の部分Ｐ１から突出する第１嵌合部５２と、第１嵌合部５２よりも本体外周側に設けられており、外周部材４４の裏面部４４ｂよりも後方に位置する第２嵌合部５４を有している。本実施例では、ガスケット８０が、この第１嵌合部５２及び第２嵌合部５４に対して、第１固定部８２及び第２固定部８４がそれぞれ嵌合することにより固定される。このような構成とすることにより、ガスケット８０を係合させるための溝部を設けることを要さず、右扉３０ｂの内部空間を広く確保することができる。さらに、従来では、ガスケットを係合させるための溝部と、ヒンジ部材３４の回動軸中心１００（図３参照）とが干渉しないように回動軸中心１００の位置を設定しなければならず、右扉３０ｂにある程度大きな厚みを要するという問題があった。しかしながら、本実施例では、上記問題を考慮する必要がなく、右扉３０ｂ全体の厚みを低減することができる。
【００３８】
また、本実施例では、ガスケット８０が、第１シール部分９４、第２シール部分９６及び第３シール部分９８を有している。右扉３０ｂの閉塞状態においては、これらのシール部分９４、９６、９８及び第２連結部９２が、右扉３０ｂの裏面部材４８に当接することにより、図３に示すように、空間Ｓ３、Ｓ４、Ｓ５がそれぞれ形成される。このように、右扉３０ｂの閉塞状態においては、空間Ｓ３〜Ｓ５に示す空気層が形成される。このため、外部空間Ｓ２から内部空間Ｓ１への熱伝導率を低減することができ、冷蔵庫１０の断熱性能が向上する。
【００３９】
また、本実施例では、突出部５０の内部に、突出部５０の内面から右扉３０ｂの内部に向かって伸びる第１リブ６０、第２リブ６２及び第３リブ６４が設けられている。第１リブ６０は、外周部材４４の裏面部４４ｂに当接している。すなわち、第１リブ６０は、裏面部材４８と外周部材４４とを結合させるときに、外周部材４４に対する裏面部材４８の前後方向の位置決め部材として機能する。また、第２リブ６２は、外周部材４４の裏面部４４ｂの内周端４４ｃよりも本体内周側に設けられている。すなわち、第２リブ６２は、裏面部材４８と外周部材４４とを結合させるときに、外周部材４４に対する裏面部材４８の左右方向の位置決め部材として機能する。また、第３リブ６４は、外周部材４４の裏面部４４ｂ（すなわち、第２リブ６２の先端）よりも前方まで伸びており、第２リブ６２と第３リブ６４の間の空間には、ガスケット８０の周方向に所定の間隔を空けて複数のガイド部材６６が設けられている。このため、仮に裏面部材４８と外周部材４４との間に位置ずれが生じた場合、ガイド部材６６が外周部材４４の内周端４４ｃに当接して滑るように変位することで、裏面部材４８と外周部材４４の位置ずれが修正される。
【００４０】
さらに、本実施例では、第２リブ６２が、内周端４４ｃからわずかに離間して配置されている。詳細には、右扉３０ｂの内部に充填された断熱発泡材７４を発泡させる際には、第２リブ６２が本体外周側に押圧されることにより変形する。このとき、ガイド部材６６が設けられていない位置では、第２リブ６２が、その先端と基端との間の範囲で屈曲し、内周端４４ｃとの間に隙間が形成される。したがって、右扉３０ｂの内部の発泡断熱材７４を発泡させる際には、第１リブ６０と第２リブ６２の間の空間Ｓ６に発泡断熱材７４が侵入可能となる。このため、この空間Ｓ６により過多な発泡断熱材７４を吸収することができ、発泡断熱材７４が右扉３０ｂの外部へ漏れることが抑制される。なお、空間Ｓ６内に、発泡軟質テープを予め挿入しておいてもよい。これにより、発泡断熱材７４の漏れをより抑制することができる。
【００４１】
また、本実施例では、上記の通り、第２リブ６２が、発泡断熱材７４によって、本体外周側に押圧されている。ガイド部材６６が設けられている位置では、上述した第２リブ６２の屈曲が生じ難い。このため、ガイド部材６６が設けられている位置では、第２リブ６２全体が本体外周側に変位し、第２リブ６２と外周部材４４の裏面部４４ｂの内周端４４ｃとの間の隙間が小さくなる。このため、発泡断熱材７４が右扉３０ｂの外部へ漏れることがさらに抑制される。
【００４２】
また、本実施例では、右扉３０ｂの内部には、外周部材４４の裏面部４４ｂと中間部材４５との間に、Ｕ字形状の補強板７０が挿入されている。上述したように、補強板７０は、冷蔵庫１０の運転時の冷却等による熱収縮に起因する外周部材４４の反りを抑制する目的で設けられている。本実施例では、ガラス板により構成された表面部材４０よりも、合成樹脂により構成された外周部材４４の方が、温度変化に伴う熱収縮率が大きい。このため、熱収縮率の大きな外周部材４４の裏面部４４ｂの近傍に補強板７０を設けることによって、右扉３０ｂの変形を抑制することができる。なお、本実施例では、従来のように、ガスケットを係合させるための溝部を右扉３０ｂの裏面に設ける必要がないため、外周部材４４の裏面部４４ｂ近傍に補強板７０を設けることが容易となっている。
【００４３】
また、本実施例では、ガスケット８０の第１固定部８２及び第２固定部８４が、ガスケット８０の他の部分と比較して剛性が高い材料により構成されている。このため、第１固定部８２及び第２固定部８４が、第１嵌合部５２及び第２嵌合部５４それぞれから脱落することが抑制される。一方、第１固定部８２及び第２固定部８４以外の部分は、剛性が比較的低い材料によって構成されるため、ガスケット８０の柔軟性を確保することができる。
【００４４】
また、本実施例では、右扉３０ｂの裏面部材４８に、第１シール部分９４を挿入するための凹部５６が設けられている。そして、凹部５６は、第１嵌合部５２よりも本体外周側に配置されている。また、本体１２を正面視すると、第１シール部分９４の付け根部（すなわち、連結部分Ｌ）が、凹部５６と略重複する位置に設けられている。このように、連結部分Ｌ及び第１シール部分９４が、第１嵌合部５２よりも本体外周側に設けられていることによって、周縁部１５に対する磁石８６の吸脱着に伴う第１連結部９０の伸長に対して、第１固定部８２が第１嵌合部５２から脱落することが抑制される。
【００４５】
また、本実施例では、ガスケット８０は、本体１２を正面視したときに、突出部５０よりも本体外周側に位置する磁石８６を有している。そして、突出部５０の先端の位置が、磁石８６の前面の位置よりも後方に位置している。したがって、突出部５０により、磁石８６の本体内周側への変位を抑制することができる。
【００４６】
また、本実施例では、ガスケット８０が右扉３０ｂに固定された状態では、第２連結部９２は、磁石収容部８８から突出部５０よりも本体外周側において湾曲して本体外周側に向かって伸びた後、第２嵌合部５４よりも本体外周側において前方に湾曲して第２固定部８４に接続される。このように、第２連結部９２が左右方向に伸びる部分を有することによって、ガスケット８０の前後方向への柔軟性が向上し、磁石８６を確実に周縁部１５へ吸着させることができる。
【００４７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。
【００４８】
上述した実施例では、ガスケット８０が観音開き式の左右扉３０ａ、３０ｂの裏面に取り付けられていたが、引き出し式の扉１６ａ、１８ａ、２０ａ、２２ａの裏面に本明細書に記載のガスケットを取り付けてもよいし、引き戸式の扉に対して本明細書に記載のガスケットを取り付けてもよい。
【００４９】
これら実施形態やその変形は、発明の範囲や要旨に含まれると同様に、特許請求の範囲に記載された発明とその均等の範囲に含まれるものである。
【符号の説明】
【００５０】
１０：冷蔵庫、１２：本体、１２ａ：外箱、１２ｂ：内箱、１４：冷蔵室、１４ａ：前面開口部、１５：周縁部、３０ａ：左扉、３０ｂ：右扉、３２、３４：ヒンジ部材、４０：表面部材、４４：外周部材、４４ａ：外周部、４４ｂ：裏面部、４４ｃ：内周端、４５：中間部材、４８：裏面部材、５０：突出部、５２：第１嵌合部、５４：第２嵌合部、５６：凹部、６０：第１リブ、６２：第２リブ、６４：第３リブ、６６：ガイド部材、７０：補強板、７２：真空断熱パネル、７４：発泡断熱材、８０：ガスケット、８２：第１固定部、８４：第２固定部、８６：磁石、８８：磁石収容部、９０：第１連結部、９２：第２連結部、９４：第１シール部分、９６：第２シール部分、９８：第３シール部分、１００：回動軸中心
【図１】
2020122637.tif 000003
【図２】
2020122637.tif 000004
【図３】
2020122637.tif 000005
【図４】
2020122637.tif 000006
【図５】
2020122637.tif 000007
【図６】
2020122637.tif 000008
【図７】
2020122637.tif 000009